(57)【特許請求の範囲】
【請求項１】
照明看板に使用される細長の光源（２）に被せることができる基体（６０）の外周面に、光反射材（６１）が設けられた照明看板用光反射材付光源カバーにおいて、前記基体（６０）は透光性のある無色透明の合成樹脂製のシートに複数本の細長テープ状のルミラー（登録商標）製の光反射材（６１）が一定間隔で長手方向に沿って貼り付けられ、光反射材（６１）が貼り付けられたシートは光源（２）に被せることのできる内径約３３ｍｍの細長筒状に丸められ、丸められたシートの両端部（６４、６４）は突合せるか重ね合わせるかし、その両端部（６４、６４）の外側に両面テープにより光反射材（６１）を貼りつけて両端部（６４、６４）を接合してシートを円筒状に成形し、この光反射材（６１）とそれと周方向対向位置の光反射材（６１）とは共に他の光反射材（６１）よりも幅広であり、幅の広い光反射材（６１）の幅は約８ｍｍ、幅の狭い他の光反射材（６１）の幅は約４ｍｍであり、幅の広い光反射材（６１）は蛍光灯（２）の周方向のうち照明看板の表示パネル（３）と対向する側に配置されるものであることを特徴とする照明看板用光反射材付光源カバー。
【発明の詳細な説明】
【０００１】
【発明の属する技術分野】
本発明はビルや駅の構内、プラットホーム、街頭等において各種の広告や案内を表示するのに使用される照明看板の光源に被せることができる照明看板用光反射材付光源カバーに関するものである。
【０００２】
【従来の技術】
広告や案内を表示する照明看板は従来より各種のものがある。これらは何れも、金属製ケース内に光源（蛍光灯）を取付け、この光源により表示パネルを内側から照明して、表示パネルに印刷或は貼り付けられている広告文や絵柄等を照らし出すようにしてある。
【０００３】
これら照明看板は表示パネルのうち蛍光灯に最も近い部分が他の部分よりも明るくなるため、表示パネルに明るさムラが生ずる。
【０００４】
【発明が解決しようとする課題】
本件発明の目的は照明看板用の光源の外周に被せることにより、表示パネル全体をムラなく且つ明るく照明することができる照明看板用光反射材付光源カバーを提供することにある。
【０００５】
【課題を解決するための手段】
本件出願の照明看板用光反射材付光源カバーは、
照明看板に使用される細長の光源２に被せることができる基体６０の外周面に、光反射材６１が設けられた照明看板用光反射材付光源カバーにおいて、前記基体６０は透光性のある無色透明の合成樹脂製のシートに複数本の細長テープ状のルミラー（登録商標）製の光反射材６１が一定間隔で長手方向に沿って貼り付けられ、光反射材６１が貼り付けられたシートは光源２に被せることのできる内径約３３ｍｍの細長筒状に丸められ、丸められたシートの両端部６４、６４は突合せるか重ね合わせるかし、その両端部６４、６４の外側に両面テープにより光反射材６１を貼りつけて両端部６４、６４を接合してシートを円筒状に成形し、この光反射材６１とそれと周方向対向位置の光反射材６１とは共に他の光反射材６１よりも幅広であり、幅の広い光反射材６１の幅は約８ｍｍ、幅の狭い他の光反射材６１の幅は約４ｍｍであり、幅の広い光反射材６１は蛍光灯２の周方向のうち照明看板の表示パネル３と対向する側に配置されるものである。
【０００６】
【０００７】
【０００８】
【０００９】
【００１０】
【００１１】
【発明の実施の形態】
（実施形態１）
本発明の照明看板用光反射材付光源カバーの第１の実施形態を図１に基づいて詳細に説明する。この照明看板用光反射材付光源カバーは図１に示すように照明看板の光源（蛍光灯）２に、その外側から被せることが可能な基体６０の外周面に光反射材６１を設けてなるものである。前記基体６０は同図に示すように無色透明のシート状の合成樹脂からなる基体６０を内側に蛍光灯２を挿入可能な内径（約３３mm）の筒状に丸め、突き合わされた基体６０の両端部６４、６４同士を互いに突き合わせて接合してなるものである。このように丸められて対向する基体６０の両端部６４、６４は互いに重ね合わせることなく、その端面同士を突き合わせて接合すると基体６０の一部分のみが二重になり、それ以外の部分に比べて光透過率が低下することがないため望ましい。
【００１２】
図１に示す光反射材６１には東レ株式会社製のポリエチレンテレフタレート樹脂シート（商品名：ルミラー（登録商標））を使用した。当該シートは受光した可視光線の９９％以上を反射可能であると共に、耐熱性、耐薬品性等に優れた特性を有するものである。図１ではこのポリエチレンテレフタレート樹脂シートを幅約４mmで長さが前記基体６０の長さと同一（約１１７０ｍｍ）の帯状にカットしてなる複数本の光反射材６１を前記基体６０の外周面にその周方向に一定間隔（約５mm間隔）をあけて配置し、夫々の光反射材６１を両面テープによって基体６０の外周面に貼り付けてある。この場合、図１に示すように互いに突き合わされた基体６０の両端部６４、６４同士を跨ぐように他より幅広の光反射材６１を配置し、当該光反射材６１を基体６０の外周面に貼り付けるための両面テープによって互いに突き合わされた基体６０の両端部６４、６４同士をも固定するようにしてある。勿論、光反射材６１を貼り付けるための両面テープ以外のテープや接着剤その他の固定手段によって突き合わされた両端部６４、６４同士を固定することもできる。いずれにしても使用する両面テープには耐熱性に優れたものを使用することが望ましく、本実施形態では連続使用限界温度が１５０℃の両面テープを使用してある。
【００１３】
蛍光灯２を照明看板のケース内配置した場合、当該表示パネル全体のうち、蛍光灯２までの距離が他の部分に比べて短くなる部分、即ち、蛍光灯２と正対する部分は他の部分に比べて強い光が照射されるため照明ムラが生じる。そこで、図１に示すように基体６０の外周面に貼り付ける複数の光反射材６１のうち、基体６０の径方向に対向する２つの光反射材６１を他の光反射材６１に比べて幅広（約８ｍｍ）とし、当該幅広とした光反射材６１が表示パネルと正対する蛍光灯２の半径方向上下に配置されるようにして、本発明の照明看板用光反射材付光源カバーを蛍光灯２に被せることができるようにしてある。これによって、蛍光灯２上下から出る光が当該幅広の光反射材６１によって遮られて直接表示パネルに照射されなくなると共に、当該光反射材６１の光反射角度は他の光反射材６１の反射角度に比べて広角となるため表示パネルが均一に照明されて照明ムラが防止される。図１では基体６０の両端部６４、６４同士を跨ぐように配置した幅広の光反射材６１の他に別の幅広の光反射材６１を基体６０の径方向に対向するように２本配置したが、基体６０の両端部６４、６４同士を跨ぐように配置した幅広の光反射材６１の対向位置に幅広の光反射材６１をもう１本配置してもよい。
【００１４】
（実施形態２）
本発明の照明看板用光反射材付光源カバーの第２の実施形態を図２に基づいて説明する。この照明看板用光反射材付光源カバーの基本構成は前記図１に示すものと同一である。異なるのは光反射材６１を基体６０の長手方向に一定間隔をあけて、基体６０の周方向に細長に設けたことである。具体的は図２に示すように幅約４ｍｍの帯状の光反射材６１を同基体６０の外周面にその周方向に巻付け、これを基体６０の長手方向に一定間隔で繰り返すことによって、複数の光反射材６１を基体６０の長手方向に沿って一定間隔で設けてある。夫々の光反射材６１は前記両面テープと同一の両面テープによって基体６０の外周面に貼り付けてある。
【００１５】
この場合も夫々の光反射材６１の長手方向一部の横幅を他の部分より広くすることによって、図２に示す照明看板用光反射材付光源カバーを蛍光灯２に被せた場合に、照明看板の表示パネルと正対する蛍光灯２の上下に位置することとなる部分の光反射材６１の横幅が他の部分の横幅よりも広くなるようにして、表示パネルの照明ムラを防止することができる。
【００１６】
（実施形態３）
本発明の照明看板用光反射材付光源カバーの第３の実施形態を図３に基づいて説明する。この照明看板用光反射材付光源カバーの基本構成は前記図１に示すものと同一である。異なるのは図３に示すように幅約４ｍｍの帯状の光反射材を基体６０の外周面に、その周方向に沿って螺旋状に巻き付けたことである。図３に示す光反射材６１も前記と同様に両面テープによって基体６０の外周面に貼り付けてある。
【００１７】
この場合も光反射材６１の横幅をその長手方向に沿って一定間隔で広くすることによって、図３に示す本発明の照明看板用光反射材付光源カバーを蛍光灯２に被せた場合に、光反射材６１のうち照明看板の表示パネルと正対する蛍光灯２の上下に配置されることとなる部分の横幅が他の部分に比べて広くなるようにして、表示パネルの照明ムラを防止することができる。
【００１８】
（実施形態４）
本発明の照明看板用光反射材付光源カバーの第４の実施形態を図４に基づいて説明する。この照明看板用光反射材付光源カバーの基本構成は前記図１に示すものと同一である。異なるのは図４に示すように長方形の光反射材６１を基体６０の外周面に市松模様が形成されるように千鳥配列したことである。夫々の光反射材６１は前記両面テープによって基体６０の外周面に貼り付けてある。
【００１９】
この場合も図４に示す本発明の照明看板用光反射材付光源カバーを蛍光灯２に被せた場合に、照明看板の表示パネルと正対する蛍光灯２の上下に配置されることとなる光反射材６１を他の部分に配置される光反射材６１よりも大きくして、表示パネルの照明ムラを防止することができる。
【００２０】
（実施形態５）
本発明の照明看板用光反射材付光源カバーの第５の実施形態を図５に基づいて説明する。この照明看板用光反射材付光源カバーの基本構成は前記図２に示すものと同一である。異なるのは互いに突き合わされた基体６０の両端部６４、６４に沿って帯状の光反射材６１を配置し、その光反射材６１の幅方向両側に同光反射材６１の長手方向に間隔をあけて、基体６０の周方向に細長な光反射材６１を複数配置したことである。図５に示す光反射材６１はすべて両面テープによって基体６０の外周面に貼り付けてある。この場合、基体６０の両端部６４、６４に沿って配置された帯状の光反射材６１を基体６０の外周面に貼り付けるための両面テープは前記両端部６４、６４同士を固定する役割も果たすことは前記と同様である。尚、図５では基体６０の両端部６４に沿って配置された光反射材６１の幅方向両端面に、基体６０の周方向に巻かれた光反射材６１の長手方向両端面を隙間なく接合してあるが、隙間をあけて配置することもできる。
【００２１】
（他の実施形態）
図６に示すように基体６０の外周面に、その長手方向に沿って２〜３枚程度の光反射材６１を一定間隔で配置することもできる。また、図７に示すように基体６０の外周面のうち周方向半分程度を覆うことが可能な大きさとか、図示しないが周方向３分２程度を覆うことが可能な大きさの光反射材６１とかを配置することもできる。
【００２２】
前記実施形態では筒状に丸めたシート状の基体６０の両端部６４、６４同士を互いに突き合わせて接合したが、図８に示すように両端部６４、６４を互いに重ね合わせて接合してもよい。この場合も互いに重ね合わされた両端部６４、６４はその位置に光反射材６１を貼り付けるための両面テープによって固定してもよいし、それ以外のテープ、接着剤等の固定手段によって固定してもよい。
【００２３】
前記実施形態では筒状に丸めた基体６０の外周面に光反射材６１を貼り付けたが、丸める前のシート状の基体６０の表面に所望の形状の光反射材６１を所望の配置間隔で貼り付けてから、当該基体６０を光反射材６１が外側になるようにして丸めてもよい。
【００２４】
また、光反射材６１を所望の内径のリング状に成形し、この光反射材６１を筒状に丸めた基体６０の長手方向端部から同基体６０の外周面に被せてもよい。この場合、シート状の基体６０をその外径が前記リング状の光反射材６１の内径よりもやや小さな筒状に丸めた状態に保持し、その状態で基体６０の外周面に所望数のリング状の光反射材６１を所望間隔で被せてから、基体６０の保持を解除すると、基体６０の外径が広がって同基体６０の外周面が光反射材６１の内周面に押し付けられて係止する。従って、この場合は筒状に丸めた基体６０の両端部６４同士を接合する必要も、基体６０の外周面に被せた光反射材６１を同外周面に固定する必要もない。勿論、この場合も基体６０の両端部６４同士を接合してもいいし、基体６０の外周面に被せた光反射材６１を同外周面に固定してもいい。
【００２５】
前記各実施形態では光反射材６１として東レ株式会社製のポリエチレンテレフタレート樹脂シート（商品名：ルミラー）を使用した。また、光反射材６１は基体６０の外周面に接着剤を使用して貼り付ける。さらに、光反射材６１とは別体の両面テープを使用して当該光反射材６１を基体６０の外周面に貼り付けるのではなく、図９に示すように前記東レ株式会社製のポリエチレンテレフタレート樹脂シートを含むシート状の光反射フィルム８０の裏面に予め両面テープ８２が設けられ、その両面テープ８２の上に剥離紙８４が設けられている光反射材６１を所望の形状に成形したものを基体６０の外周面上の所望位置に前記両面テープ８２を使用して貼り付けることもできる。何れにしても前記した光反射材６１の幅、長さ、配置間隔等に関する数値はすべて一例であり、前記以外の幅、長さ、大きさの光反射材６１を前記以外の配置間隔で配置することもできることは勿論である。また、基体６０の長さや内径等も前記数値に限られるものではない。
【００２６】
本発明の照明看板用光反射材付光源カバーは蛍光灯に限らず、ネオン管や通常の蛍光管よりも光量を多くした看板管等の光源に被せて使用することもできる。
【００２７】
（使用例１）
本発明の照明看板用光反射材付光源カバーを被せた光源を使用した照明看板として例えば図１０に示すようなものが考えられる。この照明看板は同図に示す様に、表面に広告が表示された透光性のある表示パネル３が配置固定されるケース１内に、本発明の照明看板用光反射材付光源カバーを被せた光源２と、同光源２からの光を表示パネル３側に反射させる反射体４を備えてなるものである。
【００２８】
前記ケース１は図１０に示す様にアルミ又はアルミ合金又はステンレス等の板材を加工して横長で上方開口の箱状に形成してなるものである。同図及び図１１（ａ）、（ｂ）に示す様にケース１の周縁には内側コ字形の嵌合凹部３０を形成して、前記表示パネル３の外周縁部３３を嵌合可能としてある。このケース１には各種サイズのものがあるが、図１０に示すものは一例として縦幅７５０ｍｍ、横幅１２００ｍｍ、高さ１００ｍｍとしてある。
【００２９】
前記表示パネル３は乳白色の長方形アクリル板の表面に、広告用の文字や図柄等を表示してなるものである。この表示パネル３は図１０に示す様に前記ケース１の上方から、その外周縁部３３を同ケース１の嵌合凹部３０に嵌め込む様にしてセットすると、図１１（ａ）、（ｂ）に示す様にケース１の嵌合凹部３０の内側に隙間なく勘合される形状及び大きさとしてある。表示パネル３はケース１の嵌合凹部３０に嵌合された外周縁部３３を図示されていない螺子によってケース１に固定することによって同ケース１に固定することができるようにしてある。
【００３０】
前記表示パネル３の板厚、乳白色の濃さ等は任意に選択することができる。但し、光源２からの光で表示パネル３の表面全体がムラなく照明されるようにするためには乳白色の濃さを濃くする方が望ましいが、その一方で濃くし過ぎると明るさが低下する。したがって、照明ムラがなく、且つ全体が十分な明るさで照明される濃さを選択することが望ましい。また、表示パネル３の表面に表される広告用の文字や図柄等は、同表示パネル３の表面に直接印刷してもよく、文字や図柄等が表示されたシートを表示パネル３の表面に貼ってもよい。
【００３１】
前記反射体４は図１０に示す様にケース１の内側面に沿って形成されている。この反射体４は図１０及び図１１（ａ）、（ｂ）に示す様にケース１の底面３４から前記表示パネル３に向けて直線状に外広がりに形成された傾斜反射部５と、同傾斜反射部５の表示パネル３側端部に、同表示パネル３に向けて垂直に突設された垂直反射端部６とを備えている。また、図１１（ａ）、（ｂ）に示す様に前記傾斜反射部５の表面、垂直反射端部６の表面及びケース１の底面３４には反射シート３６が張設され、光源２から出た光を前記表示パネル３に向けて反射させるようにしてある。この光反射シート３６は前記傾斜反射部５の表面、垂直反射端部６の表面及びケース１の底面３４の全てを覆うことが可能な大きさの一枚ものとすることもでき、傾斜反射部５の表面、垂直反射端部６の表面、ケース１の底面３４の夫々に別々の反射シート３６を張設することもできる。何れにしてもこの反射シート３６としては東レ株式会社製のポリエチレンテレフタレート樹脂シート（商品名：ルミラー）が適している。もっともこれ以外の反射シート３６を張設することも可能である。尚、前記傾斜反射部５は光源２からの光を最も効率良く表示パネル３に反射可能な傾斜角度としてあることは勿論である。
【００３２】
本発明の照明看板用光反射材付光源カバーを被せた光源２は図１２に示す様に、その両端を、ケース１の長手方向両側に設けられている傾斜反射部５に形成された通孔３９から同傾斜反射部５の外側まで夫々貫通させ、ケース１の底面３４に立設された支持板４２に取付けられているソケット４５にセットして、図示されていない電源コードを介して電源が供給されるようにしてある。また、光源２が蛍光灯の場合には各種安定器によってちらつきを解消することが望ましく、特にインバータ安定器を用いるのが望ましい。
【００３３】
（使用例２）
本発明の照明看板用光反射材付光源カバーを被せた光源を使用した照明看板として例えば図１３（ａ）、（ｂ）に示すようなものも考えられる。同図に示す照明看板の基本構成は図１０に示すものと同一である。異なるのは前記図１０に示す照明看板は同図に示す様に表示パネル３が１枚のいわゆる片面看板であるが、図１３に示す照明看板は同図（ｂ）に示す様に２枚の表示パネル３を対向する様に配置したいわゆる両面看板であること、及びこれに対応して反射体４の構成を変更したことである。
【００３４】
具体的には図１３（ａ）、（ｂ）に示す様にケース１の中央に配置された光源２（本発明の照明看板用光反射材付光源カバーを被せてある）の軸の両外側に形成された夫々の反射体４が、光源２側から対向する上下の表示パネル３の夫々に向けて直線状に外広がりとなる２つの傾斜反射部５によって山形に形成され、且つ２つの傾斜反射部５の接合部から光源２に向けて表示パネルと水平な水平反射部７を形成し、これら傾斜反射部５及び水平反射部７の表面に前記と同様の反射シート３６を張設した。図１３（ａ）、（ｂ）に示す様に夫々の傾斜反射部５の表示パネル３側端部には、同表示パネル３に垂直な垂直反射端部６が形成され、その表面にも反射シート３６が張設されていることは図１０に示す照明看板と同様である。また、２枚の表示パネル３を対向させて取付けるために、図１３（ｂ）に示す様にケース１の厚さ方向両側に嵌合凹部３０を形成してある。
【００３５】
（使用例３）
本発明の照明看板用光反射材付光源カバーを被せた光源２を使用した照明看板として例えば図１４に示すようなものも考えられる。同図に示す照明看板の基本構成は図１０に示すものと同一である。異なるのは図１４に示す様にケース１内に本発明の照明看板用光反射材付光源カバーを被せた光源２を間隔を開けて２本配置し、夫々の光源２の外側に反射体４を設けたことである。
【００３６】
前記夫々の反射体４は図１４に示す様に光源２より外側に設けられ、同光源２側から表示パネル３側まで直線状に外広がりとなる傾斜反射部５と、同傾斜反射部５と光源２を挟んで内側（ケースの中央側）に設けられ、前記傾斜反射部５とは逆傾斜で外広がりとなる傾斜反射部５とを備えており、光源２より外側に設けられた傾斜反射部５の表示パネル３側端部には同表示パネル３に垂直な垂直反射端部６が突設されている。また、光源２より内側に設けられた傾斜反射部５は同図に示す様に、前記光源２より外側に設けられた傾斜反射部５よりも緩やかな傾斜としてあり、その表示パネル３側端部には同表示パネル３に垂直な光源間垂直反射部８が突設されている。更に、光源間垂直反射部８と表示パネル３との間には隙間４８が形成され、夫々の光源２からの光が当該光源間垂直反射部８によって遮られることがないようにしてある。尚、光源間垂直反射部８の表面にも前記と同様の反射シート３６が張設されていることは勿論である。
【００３７】
（使用例４）
本発明の照明看板用光反射材付光源カバーを被せた光源２を使用した照明看板として例えば図１５に示すようなものも考えられる。同図に示す照明看板の基本構成は図１０に示すものと同一である。異なるのは図１５に示す様に表示パネル３が２枚の両面看板であって、ケース１内に間隔を開けて本発明の照明看板用光反射材付光源カバーを被せた２本の光源２を配置し、両光源２の外側に外側反射体９を設け、両光源２の間に中間反射体１０を設けたことである。
【００３８】
前記外側反射体９は図１５に示す様に、光源２側から上下の表示パネル３、３の夫々に向けて直線状に外広がりになる２つの傾斜反射部５により山形に形成される共に、２つの傾斜反射部５の接合部から光源２に向けて表示パネル３と水平な水平反射部７が突設され、夫々の傾斜反射部５の表示パネル３側端部には同表示パネル３に垂直な垂直反射端部６が突設されている。
【００３９】
前記中間反射体１０は図１５に示す様に、その外側の光源２側から内側（ケース１の中央側）に向けて直線状に外広がりになる４つの本体反射部１１によって菱形に形成されると共に、本体反射部１１の光源２側端部から表示パネル３に対して水平な本体水平反射部１３が突設され、表示パネル３側端部から同表示パネル３に垂直な本体垂直反射部１２が突設されている。前記外側反射体９及び中間反射体１０の表面に前記と同様の反射シート３６が張設されていることは勿論である。
【００４０】
（実験例）
本発明の照明看板用光反射材付光源カバーの効果を実証すべく行った実験の結果を次に示す。本実験は次の３つの異なる照明看板を用意し、夫々について照度を測定したものである。
（１）図１０に示すケース内に本発明の照明看板用光反射材付光源カバーを被せていない光源を１本配置した照明看板（反射体は一切設けていない）
（２）図１０に示すケース内に傾斜反斜部のみが形成された反射体（垂直反射部は形成されていない）を設け、本発明の照明看板用光反射材付光源カバーを被せた光源を１本配置した照明看板
（３）図１０に示すケース内に傾斜反斜部及び垂直反射部が形成された反射体を設け、本発明の照明看板用光反射材付光源カバーを被せた光源を１本配置した照明看板
以上の照明看板には全て同一の表示パネルを取付けた。また、光源はすべて４０Ｗ昼光色の蛍光灯とした。
【００４１】
以上の条件の下で夫々の照明看板における照度を測定したところ（１）の照明看板の測定結果は図１６に示すグラフ（グラフ１）の様になった。以下同様に（２）の照明看板の測定結果は図１７に示すグラフ（グラフ２）の様に、（３）の照明看板の測定結果は図１８に示すグラフ（グラフ３）の様になった。これらのグラフ１〜グラフ３は横軸が光源の水平方向における照度を示し、縦軸が垂直方向における照度を示す。
【００４２】
グラフ１及びグラフ３から明らかなように、（３）の照明看板では光源から水平方向に最も近い測定位置での照度が３３００ルクスであるのに対し、（１）の照明看板のそれは１４５０ルクスであり、（３）の照明看板は（１）の照明看板に比べて約２．３倍の照度を記録した。同様に（３）の照明看板は光源から水平方向に最も遠い測定位置での照度が２４００〜２３００ルクスであるのに対し、（１）の照明看板のそれは５５０ルクスであり、（３）の照明看板は（１）のそれに比べて約４．３倍の照度を記録した。
【００４３】
また、（３）の照明看板では光源から垂直方向に最も近い測定位置での照度が３１００〜３１５０ルクスであるのに対し、（１）の照明看板のそれは１０００ルクスであり、（３）の照明看板は（１）の照明看板に比べて約３倍の照度を記録した。同様に（３）の照明看板では光源から垂直方向に最も遠い測定位置での照度が２２００ルクスであるのに対し、（１）の照明看板のそれは２００ルクスであり、（３）の照明看板は（１）のそれに比べて約１１倍の照度を記録した。
【００４４】
以上の様に傾斜反斜部及び垂直反射部が形成された反射体が設けられたケース内に、本発明の照明看板用光反射材付光源カバーを被せた光源を配置した（３）の照明看板は、反射体がなく、光源に本発明の照明看板用光反射材付光源カバー被せられていない（１）の照明看板に比べて、水平方向で最大約４．３倍、垂直方向で最大約１１倍の照度を得ることができた。反射体の有無による影響は無視できないが、本発明の照明看板用光反射材付光源カバーも照度向上に十分に貢献しているものと判断される。
【００４５】
次にグラフ２及びグラフ３から明らかなように（３）の照明看板では光源から水平方向に最も近い測定位置での照度が３３００ルクスであるのに対し、（２）の照明看板のそれは１２００ルクスであり、（３）の照明看板は（２）の照明看板に比べて約２．７倍の照度を記録した。同様に（３）の照明看板は光源から水平方向に最も遠い測定位置での照度が２４００〜２３００ルクスであるのに対し、（２）の照明看板のそれは８５０ルクスであり、（３）の照明看板は（２）の照明看板に比べて約２．７倍の照度を記録した。
【００４６】
また、（３）の照明看板では光源から垂直方向に最も近い測定位置での照度が３１００〜３１５０ルクスであるのに対し、（２）の照明看板のそれは１０００ルクスであり、（３）の照明看板は（２）の照明看板に比べて約３倍の照度を記録した。同様に（３）の照明看板では光源から垂直方向に最も遠い測定位置での照度が２２００ルクスであるのに対し、（２）の照明看板のそれは８００〜８５０ルクスであり、（３）の照明看板は（２）の照明看板に比べて約２．６倍の照度を記録した。
【００４７】
以上の様に（３）の照明看板は、（２）の照明看板に比べて、水平方向で最大約２．７倍、垂直方向で最大約３倍の照度を得ることができた。（３）の照明看板と（２）の照明看板とは、反射体が傾斜反斜部及び垂直反射部の双方を備えているか、傾斜反斜部のみ備えているかの違いしかない。従って、本発明の照明看板用光反射材付光源カバーが照度向上に十分に貢献していることが一層明らかである。
【００４８】
（他の使用例）
光源２は蛍光灯に限らず、ネオン管や通常の蛍光管よりも光量を多くした看板管等を使用することもできる。このうちネオン管は同サイズの蛍光管よりも光量は少なく暗いが、暗い分だけ表示パネルに近づけても、表示パネルのうちネオン管の近傍のみが極端に明るくなることがなく、表示パネルの明るさにムラが生じない。従って、ネオン管を表示パネルに近づけて同表示パネルを明るく照明することが可能である。
【００４９】
また、光源２の数は上記の数に限られるものではなく、照明看板の大きさや形状等に合わせて、これより多くすることも少なくすることもできる。さらに、その配置方法も横に複数本並べて配置することもでき、縦に複数本並べて配置することもでき、さらにはこれらを組み合わせた配置も可能である。
【００５０】
前記各使用例では表示パネル３をケース１の周縁に形成された嵌合凹部３０に嵌合することによって、ケース１に取付けたが、図１９に示す様にケース１の周縁に受縁５１を形成し、同受縁５１の上に表示パネル３の外周縁部３３をのせ、表示パネル３の外周縁部３３の上から抑え枠５４を被せ、この抑え枠５４を図示されていない螺子等によってケース１に固定することによって、当該抑え枠５４と前記受縁５１との間に表示パネル３の外周縁部３３を挟着固定することもできる。
【００５１】
【発明の効果】
本件出願の照明看板用光反射材付光源カバーは、次のような効果を有する。
（１）光反射材が表示パネルと正対する光源の上下に配置されるようにして、本発明の照明看板用光反射材付光源カバーを被せると、表示パネルにもっとも近い光源上下から出る光が当該光反射材によって遮られて直接表示パネルに照射されなくなるため、表示パネルの照明ムラが防止される。さらに、光反射材によって光源から出る光りの一部が遮られることによる光量の低下は光反射材の反射作用によって十分に補われるので、明るさが不足することもない。総じて、表示パネルをムラなく且つ明るく照明することができる。
（２）細長の光源に被せることができる細長筒状の透光性ある基体の外周面に、光反射材が設けられているので、光源に被せるだけで当該光源を光反射材付きの光源とすることができる。
（３）基体の長さや内径等を変更するだけで各種の光源に対応することができる。
（４）照明看板を設置する現場で光源に光反射材を取付けようとすると、風で光反射材が舞い上がって取付けにくかったり、光反射材を取付けるための両面テープが他の部分に貼り付いてしまったり、湿度が高いと接着が弱くなったりして、光反射材の取り付けに非常に苦労することがあるが、本発明の照明看板用光反射材付光源カバーを使用すればそのような問題が一掃される。
（５）光反射材のうち基体の径方向に対向する２つの光反射材の幅を他の光反射材の幅より広くしたので、幅広の光反射材が表示パネルと正対する光源の上下に配置されるようにして、本発明の照明看板用光反射材付光源カバーを被せると、直接表示パネルにもっとも近い光源上下から出る光が当該幅広の光反射材によって効率的に遮られて直接表示パネルに照射されなくなると共に、当該光反射材の光反射角度は他の光反射材の反射角度に比べて広角となるため表示パネルが均一に照明されてより一層照明ムラが防止される。さらに、光反射材によって光源から出る光りの一部が遮られることによる光量の低下は光反射材の反射作用によって十分に補われるので、明るさが不足することもない。総じて、より一層表示パネルをムラなく且つ明るく照明することができる。
【００５２】
【図面の簡単な説明】
【図１】  本発明の照明看板用光反射材付光源カバーの第１の実施形態を示す説明図。
【図２】  本発明の照明看板用光反射材付光源カバーの第２の実施形態を示す説明図。
【図３】  本発明の照明看板用光反射材付光源カバーの第３の実施形態を示す説明図。
【図４】  本発明の照明看板用光反射材付光源カバーの第４の実施形態を示す説明図。
【図５】  本発明の照明看板用光反射材付光源カバーの第５の実施形態を示す説明図。
【図６】  本発明の照明看板用光反射材付光源カバーの他の実施形態を示す説明側面図。
【図７】  本発明の照明看板用光反射材付光源カバーのさらに他の実施形態を示す説明端面図。
【図８】  基体６０の一例を示す端面図。
【図９】  光反射材の一例を示す説明断面図。
【図１０】  本発明の照明看板用光反射材付光源カバーを被せた光源を使用した照明看板の第１の例を示す説明図。
【図１１】  （ａ）は図１０に示す照明看板の構造を示す横断面説明図、（ｂ）は同縦断面説明図。
【図１２】  光源の取付け状態の一例を示す説明図。
【図１３】  （ａ）は本発明の照明看板用光反射材付光源カバーを被せた光源を使用した照明看板の第２の例を示す説明図、（ｂ）は（ａ）の横断面図。
【図１４】  本発明の照明看板用光反射材付光源カバーを被せた光源を使用した照明看板の第３の例を示す説明図。
【図１５】  本発明の照明看板用光反射材付光源カバーを被せた光源を使用した照明看板の第４の例を示す説明図。
【図１６】  本発明の照明看板用光反射材付光源カバーを被せた光源を使用した照明看板の照度実験の結果を示すグラフ１。
【図１７】  本発明の照明看板用光反射材付光源カバーを被せた光源を使用した照明看板の照度実験の結果を示すグラフ２。
【図１８】  本発明の照明看板用光反射材付光源カバーを被せた光源を使用した照明看板の照度実験の結果を示すグラフ３。
【図１９】  本発明の照明看板用光反射材付光源カバーを被せた光源を使用した照明看板の他の例を示す説明図。
【符号の説明】
２  光源
６０  基体
６１  光反射材
【図１】
0003679266.tif 000002
【図２】
0003679266.tif 000003
【図３】
0003679266.tif 000004
【図４】
0003679266.tif 000005
【図５】
0003679266.tif 000006
【図６】
0003679266.tif 000007
【図７】
0003679266.tif 000008
【図８】
0003679266.tif 000009
【図９】
0003679266.tif 000010
【図１０】
0003679266.tif 000011
【図１１】
0003679266.tif 000012
【図１２】
0003679266.tif 000013
【図１３】
0003679266.tif 000014
【図１４】
0003679266.tif 000015
【図１５】
0003679266.tif 000016
【図１６】
0003679266.tif 000017
【図１７】
0003679266.tif 000018
【図１８】
0003679266.tif 000019
【図１９】
0003679266.tif 000020